(57)【要約】【課題】ＩＤ情報をホログラム化して記録した対象物が回転又は上下左右に動いてもＩＤ情報を容易に検出することができる、ホログラムＩＤ記録・検出システムを得る。【解決手段】同心円状に細スリット及び太スリットを複数本配列した円形バーコードと当該円形バーコードの中心部に参照光を透過させるための透過孔とを形成したフィルムにレーザー光を照射し、該フィルムを透過した円形バーコード情報を含んだ物体光を焦点上の記録原板に集光し、更に参照光を焦点に当て、前記物体光と参照光とによりホログラムを記録する。また、同様のフィルムにレーザー光を照射し、該フィルムを透過した円形バーコード情報を含んだ物体光を焦点上のメタル材料等のホログラムに集光させることにより発生した反射光をプリズムで検出器に導入し、相関出力の有無を検出することにより前記フィルムのＩＤパターンにマッチングしたＩＤ情報の検出を行う。【選択図】        図１
2004226441.tif 000002
【特許請求の範囲】
【請求項１】
同心円状に細スリット及び太スリットを複数本配列した円形バーコードと当該円形バーコードの中心部に参照光を透過させるための透過孔とを形成したフィルムにレーザー光を照射し、該フィルムを透過した円形バーコード情報を含んだ物体光を凸レンズにより焦点上の記録原板に集光し、更に参照光を凹レンズ及び凸レンズにより焦点に当て、前記物体光と参照光とにより記録原板上の光硬化型材料にホログラムを記録することを特徴とした、円形バーコードによるホログラムＩＤ記録・検出システム。
【請求項２】
上記方法により作成されたホログラムにおいて、同心円状に細スリット及び太スリットを複数本配列した円形バーコードを形成したフィルムにレーザー光を照射し、該フィルムを透過した円形バーコード情報を含んだ物体光を凸レンズにより焦点上のメタル材料等のホログラムに集光させることにより発生した反射光のコリレーションピーク波形をプリズムで検出器に導入し、相関出力の有無を検出することにより前記フィルムのＩＤパターンにマッチングしたＩＤ情報の検出を行うことを特徴とした、請求項１に記載の円形バーコードによるホログラムＩＤ記録・検出システム。
【請求項３】
対象物が回転又は上下左右に動いても当該対象物に記録されたホログラムが円形バーコードの情報であるため容易にＩＤ情報を検出することができることを特徴とした、請求項１及び請求項２に記載の円形バーコードによるホログラムＩＤ記録・検出システム。
【発明の詳細な説明】
【０００１】
【発明の属する技術分野】
本発明は、同心円状のバーコードデータをホログラム化して対象物の表面にＩＤ情報として記録することにより、該対象物が回転又は上下左右に動いてもＩＤ情報を容易に検出することができる、円形バーコードによるホログラムＩＤ記録・検出システムに関するものである。
【０００２】
【従来の技術】
従来、ホログラフは特別な装置を必要としないで立体画像を表現するものとして一般的に知られている。該ホログラムの原理は、物体を照射して得られた物体光と直に入射される参照光とを重ねることにより発生する干渉縞に、該物体の光波の振幅及び位相分布が変調されて光の空間的情報としてすべて記録されることにある。
【０００３】
また、上記立体画像の他に情報処理への応用として文字データをホログラム化し、大量の文字データの中から特定の文字データの検出即ちキーワード検索を行なうことが検討されている。該応用の原理は、予め形の分かっている文字データ例えばアルファベットの“Ａ”という文字のホログラムを記録してホログラムフィルタを作成しておき、被検索文字データ列を順次再生して前記“Ａ”のホログラムフィルタとマッチングさせることにより、大きな相関出力が得られる状態即ち文字の一致を検出することにある。
【０００４】
【発明が解決しようとする課題】
しかしながら、上記文字データの検出において相関出力を得るためには、ホログラムフィルタの文字データと被検索文字データ列の文字データが全く同じ大きさや同じ形でなければ出力されないという問題点があった。また、光学系の位置がずれても相関出力が得られないという問題点もあった。このため、文字データにおけるキーワード検索以外に、各対象物を識別するためのＩＤ情報例えば文字データや数字データの検出においても、データの大きさや形が異なったり位置がずれることにより、ＩＤ情報の検出ができないという問題点があった。
【０００５】
本発明は、上記のような問題点を解決するために成されたものであり、ＩＤ情報をホログラム化して記録した対象物が回転又は上下左右に動いてもＩＤ情報を容易に検出することができる、円形バーコードによるホログラムＩＤ記録・検出システムを提供することを目的とする。
【０００６】
【課題を解決するための手段】
上記課題を解決するため、本発明の円形バーコードによるホログラムＩＤ記録・検出システムにおいては、同心円状に細スリット及び太スリットを複数本配列した円形バーコードと当該円形バーコードの中心部に参照光を透過させるための透過孔とを形成したフィルムにレーザー光を照射し、該フィルムを透過した円形バーコード情報を含んだ物体光を凸レンズにより焦点上の記録原板に集光し、更に参照光を凹レンズ及び凸レンズにより焦点に当て、前記物体光と参照光とにより記録原板上の光硬化型材料にホログラムを記録する。
【０００７】
そして、該記録原板上の光硬化型材料に記録されたホログラムをマスターホログラムとしてホログラム金型に成形し、メタル材料等にプレスしてホログラムを転写作成する。
【０００８】
また、前記方法により作成されたメタル材料等のホログラムにおいて、同心円状に細スリット及び太スリットを複数本配列した円形バーコードを形成したフィルムにレーザー光を照射し、該フィルムを透過した円形バーコード情報を含んだ物体光を凸レンズにより焦点上のメタル材料等のホログラムに集光させることにより発生した反射光のコリレーションピーク波形をプリズムで検出器に導入し、相関出力の有無を検出することにより前記フィルムのＩＤパターンにマッチングしたＩＤ情報の検出を行う。
【０００９】
【発明の実施の形態】
本発明の実施の形態を図を用いて説明する。図１は本発明の円形バーコードによるホログラムＩＤ記録・検出システムにおける円形バーコードスリットの原理図であり、図２は本発明の円形バーコードによるホログラムＩＤ記録・検出システムにおけるホログラムＩＤの記録原理図である。
【００１０】
図１に示すように円形バーコードスリットとして、フィルム２に細スリット４及び太スリット５を同心円状に複数本配列した円形バーコード３を形成し当該円形バーコード３の中心部に参照光を透過させるための透過孔６を形成する。該円形バーコード３は図中点線部の狭い範囲を見れば一般的な直線バーコード７と等価であり、細スリット４や太スリット５の本数や間隔及び順序を変えて配列することにより複数のＩＤ情報を記録することができる。なお、図１では分かりやすくするため円形バーコード３を黒の実線で示しているが、実際には当該実線部を透明とし他の部分を黒等でマスキングして形成する。また、レーザー光１は、該フィルム２の面に対し垂直方向から照射するものとする。
【００１１】
次に、図２に示すようにホログラムの記録原理として、フィルム２を透過したレーザー光１を円形バーコード３の情報を含んだ物体光１０として凸レンズ８により焦点上の記録原板１２に集光させる。また、参照光１１としてレーザー光１を凹レンズ９及び凸レンズ８により焦点に直に入射させる。そして、前記物体光１０と参照光１１により焦点上の記録原板１２上の光硬化型材料１３に干渉縞が発生し、ホログラム１４として記録されることになる。
【００１２】
上記のようにして、記録原板１２上の光硬化型材料１３に円形バーコード３の情報を含んだホログラム１４を記録した後は、図３の本発明の円形バーコードによるホログラムＩＤ記録・検出システムにおけるホログラムの量産化方式の原理図に示したように、該記録原板１２上の光硬化型材料１３に記録されたホログラム１４をフォトエッチング方式でマスターホログラム１６としてホログラム金型１５に成形し、メタル材料１７等にプレスしてホログラム１８を転写作成することにより量産化することができる。
【００１３】
次に、図４は本発明の円形バーコードによるホログラムＩＤ記録・検出システムにおけるホログラムＩＤの検出原理図であり、上記方法により作成されたメタル材料１７等のホログラム１８において、同心円状に細スリット４及び太スリット５を複数本配列した円形バーコード３を形成したフィルム２’にレーザー光１を照射する。そして、該フィルム２’を透過した円形バーコード３の情報を含んだ物体光１０を凸レンズ８により焦点上のメタル材料１７等のホログラム１８に集光させることにより反射光１９が発生する。そして、該反射光１９のコリレーションピーク波形２２をプリズム２０で検出器２１に導入し、相関出力の有無を検出する。
【００１４】
図４において、▲１▼はホログラム１８に記録された円形バーコード情報と比較を行ったフィルム２’の円形バーコード３の情報とが一致した場合に出力される相関出力であり、コリレーションピーク波形２２が出力される。この場合、フィルム２’のＩＤパターン情報とホログラム１８に記録された円形バーコード情報とが一致したことを示している。また、▲２▼はホログラム１８に記録された円形バーコード情報と比較を行ったフィルム２’の円形バーコード３の情報とが一致しない場合に出力される相関出力であり、コリレーションピーク波形２２は出力されていない。この場合、フィルム２’のＩＤパターン情報とホログラム１８に記録された円形バーコード情報とが一致していないことを示している。このようにして、相関出力の有無を検出することにより前記フィルム２’のＩＤパターンにマッチングしたＩＤ情報が検出されることになる。
【００１５】
また、ＩＤ情報の検出をデータを読み出す方式ではなくパターンのマッチングによる相関出力の有無を検出する方式のため高速処理が行える。更にメタル材料１７等の対象物が回転又は上下左右に動いても当該対象物に記録されたホログラムが円形バーコードの情報であるため容易にＩＤ情報を検出することができる。
【００１６】
【発明の効果】
以上述べたように、本発明のホログラムＩＤ記録・検出システムによれば、同心円状のバーコードデータをホログラム化して対象物の表面にＩＤ情報として記録することにより、検出手段においてフィルムのＩＤパターンの情報を持った物体光と記録されたホログラムの情報とのマッチングによる相関出力の有無を検出することにより、該対象物が回転又は上下左右に動いてもＩＤ情報を容易に検出することができるという、絶大なる効果を奏することができる。
【図面の簡単な説明】
【図１】本発明の円形バーコードによるホログラムＩＤ記録・検出システムにおける円形バーコードスリットの原理図である。
【図２】本発明の円形バーコードによるホログラムＩＤ記録・検出システムにおけるホログラムＩＤの記録原理図である。
【図３】本発明の円形バーコードによるホログラムＩＤ記録・検出システムにおけるホログラムの量産化方式の原理図である。
【図４】本発明の円形バーコードによるホログラムＩＤ記録・検出システムにおけるホログラムＩＤの検出原理図である。
【符号の説明】
１  レーザー光
２  フィルム
３  円形バーコード
４  細スリット
５  太スリット
６  透過孔
７  直線バーコード
８  凸レンズ
９  凹レンズ
１０  物体光
１１  参照光
１２  記録原板
１３  光硬化型材料
１４  ホログラム
１５  ホログラム金型
１６  マスターホログラム
１７  メタル材料
１８  ホログラム
１９  反射光
２０  プリズム
２１  検出器
２２  コリレーションピーク波形
【図１】
2004226441.tif 000003
【図２】
2004226441.tif 000004
【図３】
2004226441.tif 000005
【図４】
2004226441.tif 000006